(57)【特許請求の範囲】
【請求項１】
被写体の放射線画像を検知し、前記放射線画像を電気信号として出力する放射線検出器と、前記放射線検出器を動作させるための機器類とが、筐体内に収容される放射線画像情報撮影装置であって、
前記筐体内の温度を外気温度以下に制御可能な温度制御機構を備え、
前記温度制御機構は、冷風を少なくとも前記放射線検出器に供給する冷風供給ユニットと、
冷却液を前記放射線検出器以外の発熱源のいずれかに供給する冷却液供給ユニットと、
備えるとともに、
前記冷風供給ユニットは、前記冷却液供給ユニットにより外気温度以下に冷却された冷却液が、前記冷風を得るための冷却媒体として供給されることを特徴とする放射線画像情報撮影装置。
【請求項２】
請求項１記載の放射線画像情報撮影装置において、前記冷却液供給ユニットは、前記冷却液を循環路に沿って循環させるポンプと、
前記ポンプの下流に配置されるペルチェ素子と、
前記ペルチェ素子の下流に配置される熱交換手段と、
を備えることを特徴とする放射線画像情報撮影装置。
【請求項３】
請求項２記載の放射線画像情報撮影装置において、前記熱交換手段は、前記ペルチェ素子に近接して配置され、前記冷却液を冷却媒体として空気を冷却するラジエータと、
前記ラジエータの下流に配置され、少なくとも前記機器類のいずれかを冷却する冷却ジャケットと、
を備えることを特徴とする放射線画像情報撮影装置。
【請求項４】
請求項３記載の放射線画像情報撮影装置において、前記冷風供給ユニットは、前記ラジエータと、
前記ラジエータに連結され、外気温度以下に冷却された前記冷風を、少なくとも前記放射線検出器に吹き付ける空冷ファンと、
を備えることを特徴とする放射線画像情報撮影装置。
【請求項５】
請求項１〜４のいずれか１項に記載の放射線画像情報撮影装置において、前記筐体は、少なくとも前記放射線検出器が収容される第１室と、
前記第１室とは分割され、前記機器類のいずれかが収容される第２室と、
を有するとともに、
前記第１室内の温度制御を行う温度制御機構と、
外気により前記第２室内の温度制御を行う空気供給ユニットと、
が独立して設けられることを特徴とする放射線画像情報撮影装置。
【請求項６】
請求項１〜５のいずれか１項に記載の放射線画像情報撮影装置において、前記放射線検出器の雰囲気温度を検出するための内部温度検出手段と、
外気温度を検出するための外気温度検出手段と、
を備えることを特徴とする放射線画像情報撮影装置。
【発明の詳細な説明】
【技術分野】
【０００１】
本発明は、被写体の放射線画像を検知し、前記放射線画像を電気信号として出力する放射線検出器と、前記放射線検出器を動作させるための機器類とが、筐体内に収容される放射線画像情報撮影装置に関する。
【背景技術】
【０００２】
放射線画像情報撮影装置、例えば、Ｘ線乳房撮影装置（マンモグラフィ装置）においては、放射線の照射により被写体（マンモ）の放射線画像を記録する一方、読取光の走査によって前記放射線画像に応じた情報を発する放射線画像記録部（放射線固体検出器）に対し、前記読取光を照射する読取光源部を相対的に移動させて、前記放射線画像情報の読み取りを行っている。
【０００３】
放射線画像記録部としては、複数の光電変換素子及び薄膜トランジスタ（ＴＦＴ）が配設される方式や光読み出し方式の他、光変換方式又は直接変換方式の放射線固体検出器等が使用されている。
【０００４】
この種の放射線画像情報撮影装置では、光電変換素子の温度特性の制約や電気回路の熱ノイズ等の影響により、適切な温度範囲に維持する必要がある。このため、冷却風や冷却水等を利用した冷却装置が採用されている。
【０００５】
例えば、特許文献１に開示されている平面検出器では、図７に示すように、Ｘ線平面検出器のガラス支持体１には、前記Ｘ線平面検出器の温度を調整する手段として、熱発生領域２に冷却機構３が取り付けられている。冷却機構３は、ペルチェ素子４、放熱フィン５及び強制空冷ファン６から構成されている。ペルチェ素子４とガラス支持体１との間、及び放熱フィン５と前記ペルチェ素子４との間には熱伝導体であるシリコンゴム７ａ、７ｂが設けられている。
【０００６】
ペルチェ素子４及び強制空冷ファン６は、独立して駆動制御されている。そして、ペルチェ素子４が作動することにより、熱発生領域２からの熱は、シリコンゴム７ａ、７ｂを介して放熱フィン５側に伝導する一方、強制空冷ファン６が作動することにより、前記熱発生領域２及び放熱フィン５間が強制的に冷却されている。
【０００７】
【特許文献１】特開平１１−２７１４５６号公報
【発明の開示】
【発明が解決しようとする課題】
【０００８】
しかしながら、上記の特許文献１では、ガラス支持体１の熱発生領域２に冷却機構３を直接接触しているため、前記冷却機構３による冷却箇所とその周囲では温度勾配が生じてしまう。これにより、Ｘ線平面検出器全体を均一に冷却することができないという問題がある。しかも、Ｘ線平面検出器の周囲にも電気回路等の発熱源が存在する場合に、この発熱源を含めたＸ線平面検出器全体の温調が良好に遂行されないおそれがある。
【０００９】
さらに、Ｘ線平面検出器では、特にアモルファスセレン（ａ−Ｓｅ）が用いられる際、セレンの結晶化を避けるために、Ｘ線平面検出器の温度を、例えば３０℃以下に抑える必要がある。ここで、冷却機構３による熱発生領域２を外気温以下に冷却する際、前記外気温とに大きな温度差が発生すると、前記熱発生領域２に結露が発生して機能低下が惹起されるという問題がある。
【００１０】
本発明はこの種の問題を解決するものであり、筐体内の発熱源を経済的且つ効率的に冷却するとともに、放射線検出器に結露が発生することを可及的に阻止することが可能な放射線画像情報撮影装置を提供することを目的とする。
【課題を解決するための手段】
【００１１】
本発明は、被写体の放射線画像を検知し、前記放射線画像を電気信号として出力する放射線検出器と、前記放射線検出器を動作させるための機器類とが、筐体内に収容される放射線画像情報撮影装置に関するものである。
【００１２】
放射線画像情報撮影装置は、筐体内の温度を外気温度以下に制御可能な温度制御機構を備え、前記温度制御機構は、冷風を少なくとも放射線検出器に供給する冷風供給ユニットと、冷却液を前記放射線検出器以外の発熱源のいずれかに供給する冷却液供給ユニットと備えるとともに、前記冷風供給ユニットは、前記冷却液供給ユニットにより外気温度以下に冷却された冷却液が、前記冷風を得るための冷却媒体として供給されている。
【００１３】
ここで、冷風とは、放射線検出器を冷却するために、外気温度以下に冷却された低温の空気をいう。
【００１５】
さらに、冷却液供給ユニットは、冷却液を循環路に沿って循環させるポンプと、前記ポンプの下流に配置されるペルチェ素子と、前記ペルチェ素子の下流に配置される熱交換手段とを備えることが好ましい。
【００１６】
さらにまた、熱交換手段は、ペルチェ素子に近接して配置され、冷却液を冷却媒体として空気を冷却するラジエータと、前記ラジエータの下流に配置され、少なくとも機器類のいずれかを冷却する冷却ジャケットとを備えることが好ましい。
【００１７】
また、冷風供給ユニットは、ラジエータと、前記ラジエータに連結され、外気温度以下に冷却された冷風を、少なくとも放射線検出器に吹き付ける空冷ファンとを備えることが好ましい。
【００１８】
さらに、筐体は、少なくとも放射線検出器が収容される第１室と、前記第１室とは分割され、機器類のいずれかが収容される第２室とを有するとともに、前記第１室内の温度制御を行う温度制御機構と、外気により前記第２室内の温度制御を行う空気供給ユニットとが独立して設けられることが好ましい。
【００１９】
さらにまた、放射線画像情報撮影装置は、放射線検出器の雰囲気温度を検出するための内部温度検出手段と、外気温度を検出するための外気温度検出手段とを備えることが好ましい。
【発明の効果】
【００２０】
本発明では、少なくとも放射線検出器が、冷風により冷却されるとともに、前記放射線検出器以外の発熱源のいずれかが、冷却液により冷却されている。このため、比較的大きな発熱源は、冷却液によって迅速且つ効率的に冷却される一方、放射線検出器は、結露の発生が良好に抑制される。筐体内に大きな温度差が発生することを阻止することができるからである。これにより、効率的且つ経済的な冷却が遂行可能になる。
【発明を実施するための最良の形態】
【００２１】
図１は、本発明の実施形態に係る放射線画像情報撮影装置であるマンモグラフィ装置１０の斜視説明図である。
【００２２】
マンモグラフィ装置１０は、立設状態に設置される基台１６と、この基台１６の略中央部に配設される旋回軸１８に固定されるアーム部材２０と、被写体２２に対して放射線を照射する放射線源を収納し、前記アーム部材２０の一端部に固定される放射線源収納部２４と、前記被写体２２を透過した放射線を検出して放射線画像情報を取得する固体検出器４０（後述する）を収納し、前記アーム部材２０の他端部に固定される撮影台２６と、この撮影台２６に対して前記被写体２２の撮影部位を押圧して保持する押圧板２８とを備える。
【００２３】
放射線源収納部２４及び撮影台２６が固定されたアーム部材２０は、旋回軸１８を中心として矢印Ａ方向に旋回することで、被写体２２の撮影部位に対する撮影方向が調整可能に構成される。押圧板２８は、アーム部材２０に連結された状態で放射線源収納部２４及び撮影台２６間に配設されており、矢印Ｂ方向に変位可能に構成される。
【００２４】
基台１６には、マンモグラフィ装置１０によって検出された被写体２２の撮影部位、撮影方向等の撮影情報、前記被写体２２のＩＤ情報等を表示するとともに、必要に応じてこれらの情報を設定可能な表示操作部３０が配設される。
【００２５】
図２は、マンモグラフィ装置１０における撮影台２６の一部構成図であり、撮影台２６及び押圧板２８間に被写体２２の撮影部位であるマンモ３４を設定した状態を示す。
【００２６】
図３に示すように、撮影台２６を構成する筐体３６の内部は、仕切り板３８を介して第１室３６ａと第２室３６ｂとに分割される。第１室３６ａには、放射線源収納部２４に内蔵された放射線源から出力された放射線Ｘに基づく放射線画像情報を蓄積し、電気信号として出力する固体検出器４０と、前記固体検出器４０に蓄積記録された放射線画像情報を読み取るために、前記固体検出器４０に読取光を照射する読取光源部４２と、前記読取光源部４２を前記固体検出器４０の読取光走査面に略平行な矢印Ｙ方向（図１参照）に移動させる走査部４４（図２参照）と、前記固体検出器４０に蓄積されている不要電荷を除去するために、前記固体検出器４０に消去光を照射する消去光源部（消去基板）４５とが設けられる。
【００２７】
固体検出器４０は、直接変換方式且つ光読出方式の放射線固体検出器（変換部）であって、マンモ３４を透過した放射線Ｘからなる放射線画像情報を静電潜像として蓄積し、読取光源部４２からの読取光により走査されることで、静電潜像に応じた電流を発生する。
【００２８】
固体検出器４０は、具体的には、ガラス基板上に形成され、放射線Ｘを透過する第１導電層と、放射線Ｘが照射されることで電荷を発生する記録用光導電層と、前記第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘを透過する第２導電層とを、順に積層して構成される。記録用光導電層と電荷輸送層との界面には、蓄電部が形成される。
【００２９】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向に対応する一方、前記線状電極の延在する方向が副走査方向（矢印Ｙ方向）に対応する。
【００３０】
読取光源部４２は、例えば、複数のＬＥＤチップを一列に並べて構成されるライン光源と、ライン光源から出力された読取光を固体検出器４０上に線状に照射させる光学系とを有する。固体検出器４０の第２導電層を構成する線状電極の延在方向と直交する方向にＬＥＤチップが配列されたライン光源を、前記線状電極の延在方向に移動させることで、前記固体検出器の全面が露光走査される。
【００３１】
消去光源部４５は、短時間で発光／消光し、且つ、残光の非常に小さい光源が好適であり、例えば、読取光源部４２を構成するＬＥＤチップの配列方向と直交する方向に延在し、且つ、前記配列方向に配列される複数の外部電極型希ガス蛍光ランプを使用することができる（図２参照）。
【００３２】
図４及び図５に示すように、固体検出器４０の各線状電極毎にフレキシブル基板４６が接続される。各フレキシブル基板４６には、線状電極に近接して増幅器等のＡＳＩＣ４８が設けられるとともに、前記フレキシブル基板４６は、図示しないＡ／Ｄ変換器を介して各種基板に接続されている。
【００３３】
図３に示すように、第２室３６ｂには、複数の基板５０ａ、５０ｂ及び５０ｃ等を有する基板類（機器類）５０が収容される。基板類５０は、大気により冷却される種々の機器を含む。
【００３４】
筐体３６には、第１室３６ａ内の温度を外気温度以下に制御可能な温度制御機構５２と、外気により第２室３６ｂ内の温度制御を行う空気供給ユニット５４とが独立して設けられる。
【００３５】
図３〜図５に示すように、温度制御機構５２は、冷風を少なくとも固体検出器４０に供給する冷風供給ユニット５６と、ＬＬＣ（ロングライフクーラント）等の冷却液を前記固体検出器４０以外の発熱源のいずれか、例えば、ＡＳＩＣ４８等に供給する冷却液供給ユニット５８とを備える。
【００３６】
冷却液供給ユニット５８は、アーム部材２０に対し、旋回軸１８の近傍に装着されるケーシング６０を備える。ケーシング６０内には、図５に示すように、ペルチェ素子６２がヒートシンク６４及びペルチェファン６６と一体に収容されるとともに、このペルチェ素子６２には、水冷ジャケット６８が装着される。ヒートシンク６４及びペルチェファン６６の上方には、水循環用ポンプ７０とリザーブタンク７２とが配置される。
【００３７】
図５及び図６に示すように、冷却液供給ユニット５８は、冷却液を循環路７４に沿って循環させるポンプ７０と、前記ポンプ７０の下流に配置されるペルチェ素子６２及び水冷ジャケット６８と、前記ペルチェ素子６２の下流に配置される熱交換手段、すなわち、前記ペルチェ素子６２に近接して配置され、前記冷却液を冷却媒体として空気を冷却するラジエータ７６と、前記ラジエータ７６の下流に第１分岐路７４ａを介して配置され、ＡＳＩＣ４８を冷却する冷却ジャケット７８ａ、７８ｂとを備える。
【００３８】
冷風供給ユニット５６は、筐体３６の第１室３６ａ内に配置されているラジエータ７６と、このラジエータ７６に連結されるシロッコファン８０とを備える。ラジエータ７６の下流には、冷却ジャケット７８ａ、７８ｂが並列に接続される。冷却ジャケット７８ａ、７８ｂの内部には、長手方向に延在するとともに、先端側で折り返して略Ｕ字状に構成される水通路（図示せず）が形成される。
【００３９】
冷却ジャケット７８ａ、７８ｂの下流には、第２分岐路７４ｂが循環路７４に合流した後、リザーブタンク７２が接続される。このリザーブタンク７２の出口側（下流側）にポンプ７０が接続されるとともに、前記ポンプ７０の出口側は、水冷ジャケット６８の入口側に接続される。
【００４０】
図３及び図５に示すように、ラジエータ７６には、シロッコファン８０の冷風噴出口近傍に位置し、第１室３６ａ内の空気温度を検出することにより固体検出器４０の雰囲気温度を検出するための温度センサ（内部温度検出手段）８６が取り付けられる。
【００４１】
図３に示すように、空気供給ユニット５４は、第２室３６ｂ内に筐体３６の旋回軸１８側端部下部に対応して配置されるファン９０を備える。このファン９０は、第２室３６ｂ内の空気を下方向に噴き出す機能を有する。筐体３６の先端側下部には、第２室３６ｂと外部とを連通するフィルタ（ルーバ）９２が装着される。第２室３６ｂ内には、例えば、フィルタ９２に近接して第２室３６ｂ内の温度（外気温度）を検出するための温度センサ（外気温度検出手段）９４が装着される。
【００４２】
このように構成されるマンモグラフィ装置１０の動作について、以下に説明する。
【００４３】
先ず、図示しないコンソール、ＩＤカード等を用いて、被写体２２に係るＩＤ情報、撮影方法等の設定を行う。この場合、ＩＤ情報には、被写体２２の氏名、年齢、性別等の情報がある。また、撮影方法には、医師によって指示された撮影部位、撮影方向等の情報があり、コンソールから技師が入力することが可能である。これらの情報は、マンモグラフィ装置１０の表示操作部３０に表示して確認することができる。
【００４４】
次いで、技師は、指定された撮影方法に従ってマンモグラフィ装置１０を所定の状態に設定する。例えば、マンモ３４の撮影方法としては、上部から放射線Ｘを照射して撮影を行う頭尾方向（ＣＣ）撮影（図２参照）、側面から放射線Ｘを照射して撮影を行う側面方向（ＭＬ）撮影、斜め方向から放射線Ｘを照射して撮影を行う内外側斜位（ＭＬＯ）撮影があり、これらの撮影方法に応じてアーム部材２０を旋回軸１８を中心に旋回させる。
【００４５】
次に、マンモグラフィ装置１０に対して被写体２２を指定された撮影状態に設定する。例えば、被写体２２の左のマンモ３４に対する頭尾方向（ＣＣ）撮影を行う場合、図２に示すように、左のマンモ３４を撮影台２６に載置した後、押圧板２８を押し下げ、撮影台２６及び押圧板２８間にマンモ３４を保持させる。
【００４６】
そこで、放射線源収納部２４に収納されている放射線源を駆動し、放射線画像情報の撮影を行う。押圧板２８及び撮影台２６間に保持されたマンモ３４を透過した放射線Ｘは、撮影台２６に収納されている固体検出器４０に照射される。なお、固体検出器４０は、撮影に先立ち、消去光源部４５からの消去光が全面に照射されて不要電荷が除去されている。
【００４７】
次いで、第１導電層及び第２導電層間に高電圧を印加した状態において、放射線画像情報を担持した放射線Ｘが固体検出器４０に照射されると、この固体検出器４０の記録用光導電層内で正負の電荷対が発生し、その負電荷が前記記録用光導電層と電荷輸送層との界面に形成された蓄電部に蓄積される。この蓄積された負電荷、すなわち、潜像極性電荷の量は、マンモ３４を透過した放射線Ｘの線量に略比例している。なお、記録用光導電層で発生した正電荷は、第１導電層に引き寄せられ、高電圧供給部から供給された負電荷と結合して消滅する。
【００４８】
放射線画像情報の撮影が行われた後、読取光源部４２は、走査部４４の作用下に、矢印Ｙ方向に移動しながら、固体検出器４０に向かって読取光を照射する。このため、読取用光導電層に正負の電荷対が発生し、その正電荷が蓄電部に蓄積されている負電荷（潜像極性電荷）に引きつけられるようにして電荷輸送層内を移動し、蓄電部の負電荷と結合して消滅する。一方、読取用光導電層で発生した負電荷は、第２導電層に供給される正電荷と結合して消滅する。
【００４９】
このように、固体検出器４０に蓄積されている負電荷が電荷結合によって消滅し、この電荷結合の際の電荷の移動による電流が固体検出器４０内に発生する。第２導電層を構成する複数の線状電極に発生した微少な電荷は、各線状電極にフレキシブル基板４６に搭載された各ＡＳＩＣ４８等により増幅される。増幅されたアナログ電気信号は、Ａ／Ｄ変換器に送られてデジタル電気信号に変換された後、各種の基板類５０に送られて所望の信号処理が行われ、マンモ３４の放射線画像情報が得られる。
【００５０】
この場合、本実施形態では、図５に示すように、固体検出器４０が冷風供給ユニット５６を介して冷風により冷却されるとともに、ＡＳＩＣ４８が冷却液供給ユニット５８を介して冷却液により冷却されている。このため、大きな発熱源であるＡＳＩＣ４８は、冷却液によって迅速且つ効率的に冷却される一方、固体検出器４０は、結露の発生が良好に抑制される。筐体３６内に大きな温度差が発生することを阻止することができるからである。これにより、効率的且つ経済的な冷却が遂行可能になるという効果が得られる。
【００５１】
なお、温度センサ８６により検出される固体検出器４０の雰囲気温度と、温度センサ９４により検出される外気温度とに基づいて、前記固体検出器４０に結露が発生しない温度範囲内で、冷風供給ユニット５６及び冷却液供給ユニット５８を駆動させることができる。
【００５２】
さらに、図３に示すように、筐体３６内にそれぞれ分割形成される第１室３６ａと第２室３６ｂとは、温度制御機構５２及び空気供給ユニット５４を介して独立して温度制御されている。
【００５３】
温度制御機構５２では、図５及び図６に示すように、ポンプ７０が駆動されて循環路７４に沿って冷却液が循環されるとともに、ペルチェ素子６２が駆動される。従って、水冷ジャケット６８に供給された冷却液は、ペルチェ素子６２を介して外気温度以下に冷却された後、ラジエータ７６に送られる。なお、ペルチェ素子６２には、ヒートシンク６４及びペルチェファン６６が配設されており、このペルチェファン６６が必要に応じて運転される。
【００５４】
ラジエータ７６には、シロッコファン８０が連結されており、このシロッコファン８０が駆動される。このため、ラジエータ７６により熱交換されて外気温度以下に冷却された冷風は、シロッコファン８０に吸引されて固体検出器４０に吹き付けられる。従って、固体検出器４０は、所望の温度、例えば、３０℃以下の温度に温度調整され、良好な機能を維持することができる。しかも、固体検出器４０全面に対して冷風を吹き付けることにより、この固体検出器４０に温度分布が発生することを阻止することができるという効果が得られる。
【００５５】
ラジエータ７６で冷風を得るための冷却媒体として機能した冷却液は、第１分岐路７４ａを通って左右一対の冷却ジャケット７８ａ、７８ｂに供給される。このため、冷却ジャケット７８ａ、７８ｂに近接して配置されている各ＡＳＩＣ４８は、冷却液を介して直接冷却される。その際、ＡＳＩＣ４８は相当に大きな発熱源であり、前記ＡＳＩＣ４８を冷却液により直接冷却（水冷）することによって、冷却効率が有効に向上し、少ない温度差で装置全体を冷却することが可能になるため、結露の発生を阻止することができるという効果が得られる。
【００５６】
冷却ジャケット７８ａ、７８ｂを通ってＡＳＩＣ４８を冷却した冷却液は、第２分岐路７４ｂから循環路７４に合流した後、リザーブタンク７２に供給される。
【００５７】
このリザーブタンク７２は、冷却液中に含まれるエアを除去して気泡のない冷却液をポンプ７０に供給するとともに、樹脂部分から透過する冷却液を補う機能を有している。これにより、ポンプ７０には、気泡のない冷却液が供給されるため、エア噛みによる出力低下を回避することができる。
【００５８】
また、ポンプ７０は、発熱体であるため、このポンプ７０を通過した冷却液の温度が上昇し易い。従って、ポンプ７０をペルチェ素子６２の上流側に配置することにより、このペルチェ素子６２によって所望の温度に冷却された冷却液を、ラジエータ７６に供給することができる。
【００５９】
さらにまた、冷却液は、ペルチェ素子６２から下流に向かうに従って熱を吸収するために、温度が上昇している。このため、温度制約が最も厳しい固体検出器４０を冷却するための冷風を得るラジエータ７６を最上流に配置し、このラジエータ７６の下流側に冷却ジャケット７８ａ、７８ｂを配置している。
【００６０】
これにより、固体検出器４０を所望の温度範囲内に確実に冷却することができるとともに、冷却効率の向上を図ることが可能になる。なお、冷却ジャケット７８ａ、７８ｂは、第１及び第２分岐路７４ａ、７４ｂを介して並列に設けられているが、これに限定されるものではなく、前記冷却ジャケット７８ａ、７８ｂを直列に構成してもよい。
【００６１】
さらにまた、本実施形態では、筐体３６の内部を第１室３６ａと第２室３６ｂとに分割し、この第１室３６ａに配置されている固体検出器４０及びＡＳＩＣ４８等の比較的高温の発熱源が、温度制御機構５２を構成する冷風供給ユニット５６及び冷却液供給ユニット５８によって冷却されている。このため、外気冷却で冷却可能な基板類５０を第２室３６ｂに配置することができ、温度制御機構５２の負荷を有効に削減することが可能になるという効果が得られる。
【００６２】
一方、第２室３６ｂでは、空気供給ユニット５４を構成するファン９０が駆動されることにより、フィルタ９２を介して外気が第２室３６ｂに導入されている。この外気は、基板類５０を冷却（空冷）した後、ファン９０から外部に排気されている。
【００６３】
このように、本実施形態では、筐体３６内を第１室３６ａと第２室３６ｂとに分割するとともに、前記第１室３６ａと前記第２室３６ｂとが、温度制御機構５２と空気供給ユニット５４とにより独立して温度制御されている。このため、特に、温度制御機構５２の小型化を図ることができ、撮影台２６全体の小型化が可能になる。しかも、撮影台２６の内部レイアウトの自由度が有効に向上するという効果がある。
【００６４】
また、本発明は、上述した実施形態に限定されるものではなく、本発明の主旨を逸脱しない範囲で自由に変更できることは勿論である。
【図面の簡単な説明】
【００６５】
【図１】本発明の実施形態に係るマンモグラフィ装置の斜視説明図である。
【図２】前記マンモグラフィ装置における撮影台の一部説明図である。
【図３】前記撮影台の内部構成説明図である。
【図４】前記撮影台を構成する温度制御機構の斜視説明図である。
【図５】前記温度制御機構の内部斜視説明図である。
【図６】前記温度制御機構の概略構成説明図である。
【図７】特許文献１の冷却機構の分解斜視図である。
【符号の説明】
【００６６】
１０…マンモグラフィ装置              １６…基台
２０…アーム部材                      ２２…被写体
２４…放射線源収納部                  ２６…撮影台
３０…表示操作部                      ３４…マンモ
３６…筐体                            ３６ａ、３６ｂ…室
４０…固体検出器                      ４２…読取光源部
４４…走査部                          ４５…消去光源部
４８…ＡＳＩＣ                        ５０…基板類
５２…温度制御機構                    ５４…空気供給ユニット
５６…冷風供給ユニット                ５８…冷却液供給ユニット
６０…ケーシング                      ６２…ペルチェ素子
６４…ヒートシンク                    ６６…ペルチェファン
６８…水冷ジャケット                  ７０…ポンプ
７２…リザーブタンク                  ７４…循環路
７６…ラジエータ                      ７８ａ、７８ｂ…冷却ジャケット
８０…シロッコファン                  ８６、９４…温度センサ
９０…ファン
【図１】
0004959492.tif 000002
【図２】
0004959492.tif 000003
【図３】
0004959492.tif 000004
【図４】
0004959492.tif 000005
【図５】
0004959492.tif 000006
【図６】
0004959492.tif 000007
【図７】
0004959492.tif 000008